(57)【要約】【課題】より確実に貯蔵庫内の冷気の漏洩を抑制できる冷蔵庫を提供する。【解決手段】貯蔵庫２の開口部２Ｂに設けられた断熱扉４に設けられた外縁封止部材２０において、中空に形成された封止部材本体２８と、封止部材本体２８本体の内部に第１中央空間Ｓ１と、外部側空間Ｓ２と、内部側空間Ｓ３と、第２中央空間Ｓ４とを形成を形成する第１仕切部２４と、第２仕切部２５と、第３仕切部２６とを備え、貯蔵庫２の内部と外部との間には、第１中央空間Ｓ１と、外部側空間Ｓ２と、内部側空間Ｓ３と、第２中央空間Ｓ４との内の少なくとも３つが配置されている。【選択図】図２
2020133979.tif 000002
【特許請求の範囲】
【請求項１】
貯蔵庫の開口部に設けられた断熱扉に設けられた封止部材において、
中空に形成された本体と、
前記本体の内部に複数の空間を形成する複数の仕切部とを備え、
前記貯蔵庫の内部と外部との間には、前記複数の空間の少なくとも３つが配置されている
ことを特徴とする封止部材。
【請求項２】
前記本体には、磁石が収められる磁石収容部が設けられ、
前記磁石収容部には、前記貯蔵庫に密着する密着面が設けられ、
前記複数の仕切部の内の１つの仕切部は、前記磁石を挟んで前記密着面の反対側に位置する前記磁石収容部の外表面に設けられている
ことを特徴とする請求項１に記載の封止部材。
【請求項３】
前記本体から突出する取付部が前記断熱扉に着脱自在に取り付けられており、
前記取付部は、断面が矢尻状に形成されており、
前記複数の仕切部の内の他の仕切部は、前記取付部の背面に設けられている
ことを特徴とする請求項１または２に記載の封止部材。
【請求項４】
前記封止部材には、前記貯蔵庫と、前記断熱扉との間を封止するひれ部が設けられ、
前記ひれ部は、ひれ部空間を備えている
ことを特徴とする請求項１から３のいずれかに記載の封止部材。
【発明の詳細な説明】
【技術分野】
【０００１】
本発明は、封止部材に関する。
【背景技術】
【０００２】
従来、貯蔵庫と、断熱扉とを備えた冷蔵庫が知られている。このような冷蔵庫の断熱扉には、貯蔵庫を封止するパッキンやガスケットといった封止部材が設けられている。このような封止部材には、本体が中空に形成されたものが知られている（例えば、特許文献１参照）。当該封止部材の本体の内部に設けられた空間は、断熱空気層として作用し、貯蔵庫内の冷気の漏洩を抑制する。
【先行技術文献】
【特許文献】
【０００３】
【特許文献１】特開２０００−１３０９２０号公報
【発明の概要】
【発明が解決しようとする課題】
【０００４】
しかしながら、封止部材の本体の内部に設けられた空間が少数の場合、冷気の漏洩が十分に抑制されないことがあった。
本発明は、より確実に貯蔵庫内の冷気の漏洩を抑制できる封止部材を提供することを目的とする。
【課題を解決するための手段】
【０００５】
本発明は、貯蔵庫の開口部に設けられた断熱扉に設けられた封止部材において、中空に形成された本体と、前記本体の内部に複数の空間を形成する複数の仕切部とを備え、前記貯蔵庫の内部と外部との間には、前記複数の空間の少なくとも３つが配置されていることを特徴とする封止部材を提供する。
【０００６】
本発明は、上記封止部材において、前記本体には、磁石が収められる磁石収容部が設けられ、前記磁石収容部には、前記貯蔵庫に密着する密着面が設けられ、前記複数の仕切部の内の１つの仕切部は、前記磁石を挟んで前記密着面の反対側に位置する前記磁石収容部の外表面に設けられていることを特徴とする。
【０００７】
本発明は、上記封止部材において、前記本体から突出する取付部が前記断熱扉に着脱自在に取り付けられており、前記取付部は、断面が矢尻状に形成されており、前記複数の仕切部の内の他の仕切部は、前記取付部の背面に設けられていることを特徴とする。
【０００８】
本発明は、上記封止部材において、前記封止部材には、前記貯蔵庫と、前記断熱扉との間を封止するひれ部が設けられ、前記ひれ部は、ひれ部空間を備えていることを特徴とする。
【発明の効果】
【０００９】
本発明によれば、より確実に貯蔵庫内の冷気の漏洩を抑制できる。
【図面の簡単な説明】
【００１０】
【図１】本発明の実施形態に係る冷蔵庫の正面図
【図２】図１のＩＩ−ＩＩ断面図
【図３】断熱扉の斜視図
【図４】断熱扉本体と、外縁封止部材とを示した分解斜視図
【図５】外縁封止部材の幅方向における断面図
【図６】貯蔵庫に密着した状態の外縁封止部材の幅方向における断面図
【発明を実施するための形態】
【００１１】
第１の発明は、貯蔵庫の開口部に設けられた断熱扉に設けられた封止部材において、中空に形成された本体と、本体の内部に複数の空間を形成する複数の仕切部とを備え、貯蔵庫の内部と外部との間には、複数の空間の少なくとも３つが配置されていることを特徴とする封止部材である。
これによれば、貯蔵庫の内部と外部との間には、少なくとも３つの断熱空気層が設けられている。
このため、貯蔵庫と、断熱扉との間において、より確実に貯蔵庫内の冷気の漏洩が抑制される。
【００１２】
第２の発明は、本体には、磁石が収められる磁石収容部が設けられ、磁石収容部には、貯蔵庫に密着する密着面が設けられ、複数の仕切部の内の１つの仕切部は、磁石を挟んで密着面の反対側に位置する磁石収容部の外表面に設けられていることを特徴とする封止部材である。
これによれば、密着面は、貯蔵庫の表面に対して平行に移動され、全面を当該貯蔵庫に確実に密着させることができる。
このため、封止部材が貯蔵庫の表面から剥離することを抑制することができる。
【００１３】
第３の発明は、本体から突出する取付部が断熱扉に着脱自在に取り付けられており、取付部は、断面が矢尻状に形成されており、複数の仕切部の内の他の仕切部は、取付部の背面に設けられていることを特徴とする封止部材である。
これによれば、封止部材を断熱扉に取り付けるときに、仕切部が取付部の先端に向かって押し込まれ、当該取付部が変形する。
このため、取付部を断熱扉に容易に挿入することができ、封止部材の取付性を向上させることができる。
【００１４】
第４の発明は、封封止部材には、貯蔵庫と、断熱扉との間を封止するひれ部が設けられ、ひれ部は、ひれ部空間を備えていることを特徴とする封止部材である。
これによれば、ひれ部が貯蔵庫と断熱扉との間を封止すると共に、ひれ部に設けられた空間が断熱空気層として作用する。
このため、貯蔵庫と断熱扉との間から貯蔵室２Ａの冷気が漏洩することを抑制できる。
【００１５】
以下、図面を参照して本発明の実施形態について説明する。
図１は、本発明の実施形態に係る冷蔵庫１の正面図であり、図２は、図１のＩＩ−ＩＩ断面図である。
冷蔵庫１は、図１に示すように、縦型の業務用冷蔵庫であり、当該冷蔵庫１は、貯蔵庫２と、複数の断熱扉４と、機械室６とを備えている。
貯蔵庫２は、外箱５と内箱７とで囲まれた空間に断熱材８が充填されることで形成された断熱壁３を備えた箱体である。本実施形態の外箱５と内箱７とは、いずれもステンレス鋼板等の金属によって一体に形成され、また、断熱材８は、発泡スチロールや硬質ウレタンフォーム等が用いられている。
なお、外箱５と内箱７とは、金属に限らずＡＢＳ樹脂等の硬質樹脂で形成されていてもよい。また、外箱５と内箱７とは、金属と硬質樹脂とを組み合わせて形成されていてもよい。
当該貯蔵庫２は、内部に貯蔵室２Ａが設けられ、前面には、開口部２Ｂが設けられている。
【００１６】
開口部２Ｂの内側面は、側面部材９によって形成されている。この側面部材９は、外箱５と内箱７とを開口部２Ｂにおいて連結する部材であり、当該側面部材９は、硬質樹脂によって形成されている。
詳述すると、側面部材９は、幅方向の断面視でＬ字状に形成されており、当該側面部材９は、開口部２Ｂの内側面と、開口部２Ｂの周辺に位置する貯蔵庫２の前面とを、当該開口部２Ｂの全周に亘って構成している。この側面部材９が設けられることによって、貯蔵室２Ａの内部の冷気が内箱７から外箱５に伝わることが抑制される。
【００１７】
また、側面部材９の貯蔵庫２の前面側には、金属板１０が設けられている。この金属板１０は、所定の幅を有した平板状部材であり、当該金属板１０は、開口部２Ｂの全周に亘って設けられている。
また、開口部２Ｂの中央部には、仕切枠２Ｃが設けられており、当該開口部２Ｂは、当該仕切枠２Ｃによって、上下に仕切られている。
【００１８】
複数の断熱扉４は、貯蔵庫２の開口を閉塞する矩形状の扉部材である。本実施形態の冷蔵庫１は、左右方向に配置された一対の断熱扉４を１組として、上下に２組が設けられており、これらの断熱扉４は、互いに一方の側面を隣接させて配置されている。また、各断熱扉４の上面及び下面には、各断熱扉４の他方の側面側に位置する箇所にヒンジ１１が設けられている。各一対の断熱扉４は、これらのヒンジ１１によって、冷蔵庫１の左右方向に開閉可能となっている。すなわち、各一対の断熱扉４は、観音開き扉となっている。
また、各断熱扉４の前面には、いずれも左右方向において互いに隣接する側面側にハンドル１８が設けられている。
【００１９】
機械室６は、貯蔵庫２の上方に配置されている。当該機械室６の内部には、冷凍サイクルを構成する冷凍装置６１が収められている。詳述すると、冷凍装置６１は、圧縮機６２と、凝縮器６３と、凝縮器用送風機６４と、キャピラリチューブ６５と、電装箱６６とを備え、これらが駆動することによって、貯蔵室２Ａに冷気が送り込まれる。
【００２０】
次いで断熱扉４について詳述する。
図３は、断熱扉４の斜視図であり、図４は、断熱扉本体１２と、外縁封止部材２０とを示した分解斜視図である。なお、図３、及び図４は、断熱扉４の背面側から視た図となっている。
断熱扉４は、図２に示すように、所定の厚さを有した平板状の部材であり、当該断熱扉４は、図３に示すように、断熱扉本体１２と、複数の外縁封止部材２０とを備えている。
断熱扉本体１２の前面と、両側面と、上面と、下面と、背面の外縁とは、いずれもステンレス鋼板等の金属によって一体に形成された扉外装板１３によって構成されている。また、断熱扉本体１２の背面中央部は、硬質樹脂で形成された扉内装板１４によって構成されている。この扉内装板１４は、中央部が断熱扉本体１２の背面の外縁よりも貯蔵室２Ａの内部側に突出している。
これらの扉外装板１３、及び扉内装板１４によって囲まれた空間には、図２に示すように、発泡スチロールや硬質ウレタンフォーム等の断熱材１５が充填されている。
なお、扉外装板１３は、金属に限らずＡＢＳ樹脂等の硬質樹脂で形成されていてもよい。
【００２１】
各断熱扉本体１２の他方の断熱扉４に隣接する側の側面には、側面封止部材５０が設けられている。
側面封止部材５０は、ゴムや軟質ポリ塩化ビニル等の軟質樹脂で形成されたパッキンやガスケットといわれる封止部材である。当該側面封止部材５０は、断熱扉本体１２の側面と同程度の長さを備え、所定の幅を備えている。この側面封止部材５０は、上下方向が断熱扉４の上下方向に沿うように、断熱扉本体１２の側面に取り付けられている。
冷蔵庫１の一対の断熱扉４が閉止されると、各断熱扉本体１２の側面封止部材５０が互いに密着し、これによって、各断熱扉４の側面間が封止される。
【００２２】
次いで、断熱扉本体１２の背面について詳述する。
図２に示すように、断熱扉本体１２の背面の外縁は、上面側、下面側、及び各側面側が扉外装板１３の端部によって形成され、背面中央部側が扉内装板１４の端部によって形成されている。
また、扉内装板１４の端部、すなわち断熱扉本体１２の背面の外縁には、全周に亘って外縁取付溝１６が設けられている。この外縁取付溝１６の幅寸法は、幅方向における断面視で、開口箇所付近が狭く、断熱扉本体１２の前面側に位置する箇所が広く形成されている。すなわち、外縁取付溝１６は、所謂蟻溝状に形成されている。この外縁取付溝１６には、複数の外縁封止部材２０が取り付けられている。
【００２３】
図５は、外縁封止部材２０の幅方向における断面図である。
複数の外縁封止部材２０は、ゴムや軟質ポリ塩化ビニル等の軟質樹脂で形成されたパッキンやガスケットといわれる封止部材である。これらの外縁封止部材２０は、断熱扉本体１２の外縁の各辺に対応するように、いずれも線状に成形されている。
各外縁封止部材２０は、いずれも封止部材本体２８と、外縁取付部３０と、第１内部側ひれ部３１と、第２内部側ひれ部３２と、第３内部側ひれ部３３と、一対の外部側ひれ部３５とを備えている。
【００２４】
封止部材本体２８は、断面が略矩形の中空の筒状に形成されており、当該封止部材本体２８の内部は、複数の空間に仕切られている。
詳述すると、封止部材本体２８は、貯蔵庫２側に配置された前面板２８Ａと、断熱扉本体１２側に配置された背面板２８Ｂと、開口部２Ｂから離隔されて配置された外部側側板２８Ｃと、開口部２Ｂ側に配置された内部側側板２８Ｄとで構成されている。
また、前面板２８Ａ、外部側側板２８Ｃ、及び内部側側板２８Ｄの厚さ寸法は、いずれも略同一の厚さに形成されており、背面板２８Ｂの厚さ寸法は、前面板２８Ａ、外部側側板２８Ｃ、及び内部側側板２８Ｄの厚さ寸法よりも厚く形成されている。
【００２５】
封止部材本体２８の前面板２８Ａと、外部側側板２８Ｃとで形成される角部には、断面矩形状の外縁磁石収容部２１が設けられている。外縁磁石収容部２１は、中空に形成されており、この外縁磁石収容部２１の内部には、棒状の外縁磁石４０が収容されている。外縁磁石４０は、断熱扉本体１２の背面の各辺と同程度の長さを有しており、これらが各辺に沿って各外縁磁石収容部２１に挿通されている。
外縁磁石収容部２１の貯蔵庫２側は、収容部前面板２１Ａによって構成されている。当該収容部前面板２１Ａの外表面は、外縁封止部材２０の長手方向全体に亘って、滑らかな平面に成形された密着面２２として形成されている。
【００２６】
また、外縁磁石収容部２１において、外縁磁石４０を挟んで収容部前面板２１Ａの反対側に位置する箇所は、収容部背面板２１Ｂによって構成されている。当該収容部背面板２１Ｂの外表面である接続面２３には、第１仕切部２４が接続されている。
【００２７】
この第１仕切部２４は、封止部材本体２８に一体に成形され、封止部材本体２８の内部の空間を仕切る部材である。第１仕切部２４は、接続面２３から背面板２８Ｂに向かって突出した後、背面板２８Ｂに沿って内部側側板２８Ｄに向かって延び、さらに、略Ｕ字状に曲成された後、前面板２８Ａに接続されている。
これによって、封止部材本体２８の内部には、この第１仕切部２４と、前面板２８Ａと、外縁磁石収容部２１とによって囲まれた第１中央空間Ｓ１が設けられている。
また、第１仕切部２４は、前面板２８Ａと略同一の厚さ寸法を有している。
【００２８】
第１仕切部２４の中途部には、背面板２８Ｂに向かって延在する第２仕切部２５と、第３仕切部２６とが接続されている。これらの第２仕切部２５と、第３仕切部２６とは、第１仕切部２４と同様に、封止部材本体２８に一体に成形されている。第２仕切部２５と、第３仕切部２６とは、互いに所定の間隔を空けて、いずれも背面板２８Ｂに接続されている。また、第２仕切部２５は、前面板２８Ａと略同一の厚さ寸法を有し、第３仕切部２６は、背面板２８Ｂと略同一の厚さ寸法を有している。
【００２９】
封止部材本体２８の内部には、この第２仕切部２５と、第１仕切部２４と、外部側側板２８Ｃと、接続面２３と、背面板２８Ｂで囲まれた外部側空間Ｓ２が設けられている。また、封止部材本体２８の内部には、第３仕切部２６と、第１仕切部２４と、内部側側板２８Ｄと、前面板２８Ａ及び背面板２８Ｂとで囲まれた内部側空間Ｓ３が設けられている。さらに、外縁封止部材２０の内部には、第１仕切部２４と、第２仕切部２５と、第３仕切部２６と、背面板２８Ｂとで囲まれた第２中央空間Ｓ４が設けられている。
【００３０】
封止部材本体２８の背面板２８Ｂには、当該外縁封止部材２０の長手方向全体に亘って外縁取付部３０が設けられている。この外縁取付部３０は、封止部材本体２８の背面板２８Ｂから突出して設けられている。また、この外縁取付部３０は、幅方向における断面視で、矢尻形状に成形されており、当該外縁取付部３０の両側面の先端部側に位置する箇所には、いずれも封止部材本体２８側に延びる返し部３０Ａが設けられている。さらに、外縁取付部３０は、中空に形成され、背面板２８Ｂと略同一の厚さ寸法を有している。
【００３１】
また、外縁取付部３０の背面の中央部には、上述した第３仕切部２６が接続されている。この第３仕切部２６は、外縁取付部３０の背面と、第１仕切部２４とを接続し、また、当該第３仕切部２６は、外縁取付部３０が突出する方向と略同一方向に延びた状態で外縁取付部３０の背面に接続されている。
【００３２】
封止部材本体２８の前面板２８Ａと、内部側側板２８Ｄとで形成される角部には、第１内部側ひれ部３１と、第２内部側ひれ部３２と、第３内部側ひれ部３３とが設けられている。これらの第１内部側ひれ部３１と、第２内部側ひれ部３２と、第３内部側ひれ部３３とは、いずれも貯蔵庫２に向かって突出し、断熱扉本体１２の扉内装板１４に当接している。
また、第１内部側ひれ部３１は、所定の厚さを備え、中空に形成されている。
詳述すると、第１内部側ひれ部３１は、幅方向において封止部材本体２８の前面板２８Ａから中程までが厚く形成された肉厚部３４を備えている。この肉厚部３４は、中空に形成されており、当該肉厚部３４の内部には、２つのひれ部空間Ｖ１、Ｖ２が設けられている。
【００３３】
図２に示すように、肉厚部３４は、断熱扉４が閉止された状態において、貯蔵庫２の側面部材９に当接している。
これによって、側面部材９と扉内装板１４との間を第１内部側ひれ部３１が封止すると共に、肉厚部３４の内部のひれ部空間Ｖ１、Ｖ２が断熱空気層として作用し、貯蔵室２Ａの冷気の漏洩を抑制することができる。
さらに、第１内部側ひれ部３１と、第２内部側ひれ部３２と、第３内部側ひれ部３３と、扉内装板１４とで囲まれた各空間もまた、断熱空気層として作用し、貯蔵室２Ａの冷気の漏洩を抑制する。すなわち、第１内部側ひれ部３１と、第２内部側ひれ部３２と、第３内部側ひれ部３３とが貯蔵庫２と、断熱扉４との間を封止することで、貯蔵庫２と、各断熱扉４との間における密閉性が向上する。
【００３４】
また、封止部材本体２８の背面板２８Ｂと、外部側側板２８Ｃとで形成される角部には、一対の外部側ひれ部３５が設けられている。
各外部側ひれ部３５は、断熱扉本体１２の背面の外縁に向かって突出し、断熱扉本体１２の扉外装板１３に当接している。
これらの外部側ひれ部３５が設けられることによって、貯蔵庫２の外部から貯蔵室２Ａにゴミが侵入することや、カビの増殖等が抑えられる。
また、各外部側ひれ部３５と、扉外装板１３とで囲まれた空間は、断熱空気層として作用し、外縁封止部材２０と、断熱扉本体１２との間から、貯蔵室２Ａの冷気が漏洩することを抑制する。
なお、第１内部側ひれ部３１に限らず、第２内部側ひれ部３２と、第３内部側ひれ部３３と、外部側ひれ部３５に中空の肉厚部が設けられていてもよい。
【００３５】
次に、本実施形態の作用について説明する。
まず、外縁封止部材２０を断熱扉本体１２に取り付ける手順について説明する。
外縁封止部材２０を取り付けるときには、外縁取付部３０を外縁取付溝１６に当接させた状態で、封止部材本体２８の前面板２８Ａが押圧される。このとき、第３仕切部２６は、外縁取付部３０の先端に向かって押し込まれる。外縁取付部３０は、中空に形成されているため、外縁取付部３０の背面がたわみ、当該外縁取付部３０の各側面が互いに接近する方向に変形する。そして、各返し部３０Ａも同様に変形し、外縁取付部３０の幅が狭く変形する。このため、外縁取付部３０を外縁取付溝１６に容易に挿入することができ、外縁封止部材２０の取付性を向上させることができる。
【００３６】
このように、外縁取付部３０が外縁取付溝１６に挿入されることによって、外縁封止部材２０が扉外装板１３に取り付けられる。このとき、各返し部３０Ａは、幅方向に再び広がり、外縁取付溝１６の開口箇所に係合する。これによって、各返し部３０Ａが抜け止めとして作用し、外縁封止部材２０が断熱扉本体１２に確実に固定される。
【００３７】
図６は、貯蔵庫２に密着した状態の外縁封止部材２０の幅方向における断面図である。
断熱扉４が閉止されると、金属板１０と、各外縁封止部材２０が備える外縁磁石４０とが磁力によって引き合い、図６に示すように、外縁磁石収容部２１が貯蔵庫２側に引っ張られる。また、封止部材本体２８の背面板２８Ｂは、外縁取付部３０によって断熱扉本体１２に固定されているため、封止部材本体２８の外部側側板２８Ｃと前面板２８Ａとが外縁磁石収容部２１と共に貯蔵庫２側に引っ張られ、封止部材本体２８が変形する。
【００３８】
このとき、第１仕切部２４が伸長することによって、外縁磁石収容部２１の密着面２２は、金属板１０の表面に平行に移動される。これによって、密着面２２は、全面が金属板１０の表面に密着する。このため、断熱扉４が閉止されたときに、外縁封止部材２０が金属板１０から剥離することを抑制することができ、貯蔵庫２と断熱扉４との間を確実に封止することができる。そして、貯蔵室２Ａの冷気の漏洩を抑制することができる。
また、観音開き扉である一対の断熱扉４の内、一方の断熱扉４を開いたときに、他方の断熱扉４が開かれる、所謂共開きが生じることを抑制できる。
【００３９】
断熱扉４が閉止された状態において、各外縁封止部材２０は、図２に示すように、貯蔵庫２と、断熱扉本体１２との間に配置されている。また、上述の通り、各外縁封止部材２０の内部には、第１中央空間Ｓ１と、外部側空間Ｓ２と、内部側空間Ｓ３と、第２中央空間Ｓ４とが形成されている。
これらの第１中央空間Ｓ１と、外部側空間Ｓ２と、内部側空間Ｓ３と、第２中央空間Ｓ４とは、いずれも断熱空気層として作用し、貯蔵室２Ａに熱が侵入することを抑制すると共に、貯蔵室２Ａから冷気が漏出することを抑制することができる。
さらに、貯蔵庫２と、断熱扉本体１２との間において、貯蔵庫２の内部と外部との間には、各外縁封止部材２０の内部に形成された各空間の内、少なくとも３つの空間が配置されている。
具体的には、外縁封止部材２０は、貯蔵庫２の内部と外部との間に、第１中央空間Ｓ１と、外部側空間Ｓ２と、内部側空間Ｓ３、または外部側空間Ｓ２と、内部側空間Ｓ３と、第２中央空間Ｓ４とが配置されるように取り付けられている。
すなわち、貯蔵庫２の内部と外部との間には、少なくとも３つの断熱空気層が設けられている。
これによって、貯蔵庫２と、断熱扉４との間において、より確実に貯蔵室２Ａの冷気の漏洩を抑制することができ、冷蔵庫１の節電効果を向上させることができる。
【００４０】
上述した実施形態によれば、次のような効果を奏する。
【００４１】
本実施形態の冷蔵庫１は、開口部が設けられた貯蔵庫２と、開口部２Ｂに設けられた一対の断熱扉４とを備えている。これらの断熱扉４には、いずれも開口部２Ｂを封止する複数の外縁封止部材２０が設けられており、これらの外縁封止部材２０の封止部材本体２８は、いずれも中空に形成されている。また、封止部材本体２８の内部には、第１仕切部２４と、第２仕切部２５と、第３仕切部２６とが設けられている。これらの第１仕切部２４と、第２仕切部２５と、第３仕切部２６とは、第１中央空間Ｓ１と、外部側空間Ｓ２と、内部側空間Ｓ３と、第２中央空間Ｓ４とを形成している。そして、貯蔵庫２の内部と外部との間には、これらの各空間の内、少なくとも３つが配置されている構成とした。
これによって、貯蔵庫２の内部と外部との間には、少なくとも３つの断熱空気層が設けられている。このため、貯蔵庫２と、断熱扉４との間において、より確実に貯蔵室２Ａの冷気の漏洩を抑制することができる。
【００４２】
また、本実施形態によれば、封止部材本体２８には、外縁磁石４０が収められる外縁磁石収容部２１が設けられ、当該外縁磁石収容部２１の収容部前面板２１Ａには、貯蔵庫２の金属板１０に密着する密着面２２が設けられている。そして、第１仕切部２４は、外縁磁石４０を挟んで収容部前面板２１Ａの反対側に位置する当該収容部背面板２１Ｂの外表面である接続面２３に設けられている構成とした。これによって、密着面２２は、金属板１０の表面に平行に移動され、全面を金属板１０の表面に確実に密着させることができる。このため、外縁封止部材２０が金属板１０から剥離することを抑制することができる。
【００４３】
また、本実施形態によれば、外縁封止部材２０には、当該外縁封止部材２０から突出する外縁取付部３０が断熱扉本体１２に着脱自在に取り付けられており、当該外縁取付部３０は、幅方向における断面が矢尻状に形成されている。そして、第３仕切部２６は、外縁取付部３０の背面に設けられている構成とした。これによって、外縁封止部材２０を断熱扉本体１２に取り付けるときに、第３仕切部２６が外縁取付部３０の先端に向かって押し込まれることによって、各返し部３０Ａが互いに接近する方向に変形する。このため、外縁取付部３０を外縁取付溝１６に容易に挿入することができ、外縁封止部材２０の取付性を向上させることができる。
【００４４】
また、本実施形態によれば、外縁封止部材２０には、貯蔵庫２と、断熱扉本体１２との間を封止する第１内部側ひれ部３１が設けられ、当該第１内部側ひれ部３１は、ひれ部空間Ｖ１、Ｖ２を備えた中空に形成されている構成とした。これによって、側面部材９と扉内装板１４との間を第１内部側ひれ部３１が封止すると共に、肉厚部３４の内部のひれ部空間Ｖ１、Ｖ２が断熱空気層として作用し、貯蔵室２Ａの冷気の漏洩を抑制することができる。
【００４５】
上述した実施形態は、本発明の一態様を例示したものであって、本発明の趣旨を逸脱しない範囲で任意に変形、及び応用が可能である。
【００４６】
例えば、上述した実施形態では、外縁封止部材２０は、断熱扉本体１２の各辺に、それぞれが対応する複数の線状の部材としたが、これに限らず、断熱扉の４辺に対応する矩形の枠体として、一体に成型されたものであってもよい。
また例えば、上述した実施形態では、冷蔵庫１を４ドア式の縦型冷蔵庫としたが、これに限らず、アンダーカウンター型の業務用冷蔵庫や、仕切り板などで仕切られることで形成された複数の貯蔵室を備えた家庭用冷蔵庫といった冷蔵庫に適用してもよい。
また例えば、外縁封止部材２０に限らず、側面封止部材５０も中空に形成され、複数の空間に区切られていてもよい。
【符号の説明】
【００４７】
１  冷蔵庫
２  貯蔵庫
２Ａ  貯蔵室
２Ｂ  開口部
３  断熱壁
４  断熱扉
６  機械室
９  側面部材
１０  金属板
１２  断熱扉本体
１３  扉外装板
１４  扉内装板
１６  外縁取付溝
２０  外縁封止部材（封止部材）
２１  外縁磁石収容部（磁石収容部）
２１Ａ  収容部前面板
２１Ｂ  収容部背面板
２２  密着面
２３  接続面（外表面）
２４  第１仕切部（仕切部）
２５  第２仕切部（仕切部）
２６  第３仕切部（仕切部）
２８  封止部材本体（本体）
２８Ａ  前面板
２８Ｂ  背面板
２８Ｃ  外部側側板
２８Ｄ  内部側側板
３０  外縁取付部
３０Ａ  返し部
３１  第１内部側ひれ部（ひれ部）
３４  肉厚部
４０  外縁磁石（磁石）
５０  側面封止部材
Ｓ１  第１中央空間（空間）
Ｓ２  外部側空間（空間）
Ｓ３  内部側空間（空間）
Ｓ４  第２中央空間（空間）
Ｖ１、Ｖ２  ひれ部空間
【図１】
2020133979.tif 000003
【図２】
2020133979.tif 000004
【図３】
2020133979.tif 000005
【図４】
2020133979.tif 000006
【図５】
2020133979.tif 000007
【図６】
2020133979.tif 000008